(57)【特許請求の範囲】
【請求項１】
上部が開放されてそのまま販売用陳列ケースとなる本体と、外側部の４辺にそれぞれ側板を備えるとともに上部が蓋板によって閉塞された蓋体と、を組合わせて成る包装箱であって、
前記蓋体の正面板には破断線によって囲まれた開封用分離板が設けられ、
前記蓋体の左右両側板には、前記本体の左右両側板の下端側であって背面側の部分が露出するように背面側から前面側にかけて所定の長さに亘って欠如された欠如部が形成され、
前記欠如部は上縁が平坦であってしかも前端縁が前方に向かって斜めに欠如されており、前記欠如部の前記上縁が平坦な部分における該欠如部の高さ方向の寸法が前記包装箱の高さ方向の寸法の１／１０〜１／３の範囲内であって、
前記蓋体の左右両側板の前記欠如部の前記平坦な上縁と前記斜めの前端縁との交差位置から水平方向よりも斜め上方に向かって破断線が形成され、
前記蓋体の背面板にはこの蓋体を除去して開封するとき、上端側が回動中心となる切込みが底部から上方に所定の高さまで形成され、前記蓋体の左右両側板の前記欠如部の前記平坦な上縁は、前記蓋体の背面板の開封用切込みの上縁よりも低い包装箱。
【請求項２】
前記蓋体の左右両側板の前記欠如部によって露出する前記本体の左右両側板の下端側の前記露出した部分が開封動作時に前記本体を押える部位である請求項１に記載の包装箱。
【請求項３】
前記蓋体の左右両側板の前記欠如部の前記平坦な上縁と前記斜めの前端縁とのなす外角が１８０度以上であって、該外角を３等分したときにその中間の１／３の角度範囲に入るように前記破断線が前記蓋体の左右両側板に形成されている請求項１または２のいずれかに記載の包装箱。
【請求項４】
前記蓋体の左右両側板の前記欠如部の前記平坦な上縁と前記斜めの前端縁とのなす外角が１８０度以上であって、該外角を３等分したときにその中間の１／３の角度範囲に入るとともに、垂直方向よりも前方に向かって延びるように前記破断線が前記蓋体の左右両側板に形成されている請求項１乃至３のいずれかに記載の包装箱。
【請求項５】
前記蓋体の左右両側板の欠如部の上縁が平坦な部分が前記蓋体の背面側板の開封用切込みの上縁よりも０．５〜４ｃｍ低い請求項３または４のいずれかに記載の包装箱。
【請求項６】
前記本体の左右両側板は、前端側の部分が低くなっており、しかも前記低くなった前記左右両側板の前端側であって前記いたずら検出用の破断線の延長位置に上方に突出する突部が形成され、該突部の高さはこの包装箱の全高の２／３〜９／１０の範囲内である請求項１乃至５のいずれかに記載の包装箱。
【請求項７】
上部が開放されてそのまま販売用陳列ケースとなる本体上に、外側部の４辺にそれぞれ側板を備えるとともに上部が蓋板によって閉塞された蓋体を被せて成る包装箱において、
前記蓋体の正面板に破断線によって囲まれて形成された開封用分離板を破断して前記蓋体を回動させることにより前記蓋体を除去して開封するようにし、
しかも前記開封の際に前記本体の左右両側板が露出して前記本体の左右両側板を押えるように前記蓋体の左右両側板の下端側に背面側から前面側にかけて所定の長さの欠如部を形成し、
前記欠如部の平坦な上縁と斜めの前端縁との交差位置から水平方向よりも斜め上方に向けていたずら検出用の破断線を形成しておき、
前記蓋体の左右両側板の欠如部から前記蓋体の左右両側板の内の一方と前記本体の左右両側板の内の一方との間に指を挿入すると前記いたずら検出用破断線が破断していたずらしたことを知らしめるようにした包装箱のいたずら検出方法。
【発明の詳細な説明】
【技術分野】
【０００１】
本発明は包装箱および包装箱のいたずら検出方法に係り、とくに上部が開放されてそのまま販売用陳列ケースとなる本体と、外側部の４辺にそれぞれ側板を備えるとともに上部が蓋板によって閉塞された蓋体とを組合わせて成る包装箱、およびこのような包装箱におけるいたずら検出方法に関する。
【背景技術】
【０００２】
例えば特開２０１１−２４６１４０号公報や、特開２０１２−３０８９２号公報に開示されているように、上部が開放されてそのまま販売用陳列ケースとなる本体（身）と、外側部の４辺にそれぞれ側板を備えるとともに上部が蓋板によって閉塞された蓋体とを組合わせた包装箱が提案されている。このような包装箱においては、販売のための陳列の際に、上記蓋体を除去すると、内容物が入ったままの本体を利用してそのまま陳列することができるために、とくに販売のために特別な陳列手段を必要としなくなる利点がある。
【０００３】
このような包装箱においては、とくに販売のために陳列する際に、上述の如く蓋体を除去する必要がある。このために通常本体（身）の左右両側部を押えながら蓋体を上方から背面側に回動させるようにしてこの蓋体を除去し、これによって本体の上部を開放させるようにしている。従ってこのような開放動作のために、蓋体の左右両側板には、開封動作のために本体を押えるように欠如部が形成され、この欠如部を利用して本体を押えるようにしている。
【０００４】
ところがこのような構造に係る包装箱によると、開封のために本体を押えるために蓋体の左右両側板に形成された欠如部を通して、本体の内側に指を挿入して内容物を抜取る等のいたずらを誘発する可能性がある。従来は、このようないたずらや内容物の抜取り等に対して、無防備であった。従って、いたずらされたり、内容物が抜取られたりすることに対して対策（ｔａｎｐｅｒ  ｅｖｉｄｅｎｃｅ機能）ができていなかった。
【先行技術文献】
【特許文献】
【０００５】
【特許文献１】特開２０１１−２４６１４０号公報
【特許文献２】特開２０１２−３０８９２号公報
【発明の概要】
【発明が解決しようとする課題】
【０００６】
本願発明の課題は、上部が開放されてそのまま販売用陳列ケースとなる本体と、外側部の４辺にそれぞれ側板を備えるとともに上部が蓋板によって閉塞された蓋体と、を組合わせて成る包装箱における、とくにいたずらや内容物の抜取り等に対して対策を施し、上記のいたずらや内容物の抜取り等がなされた場合にそれを確実に知らしめるようにした包装箱を提供することである。
【０００７】
本願発明の別の課題は、最もいたずらされ易い位置に単に破断線を形成するだけでいたずらの検出を行ない得るようにした包装箱を提供することである。
【０００８】
本願発明の上記の課題および別の課題は、以下に述べる本願発明の技術的思想、およびその実施の形態によって明らかにされる。
【課題を解決するための手段】
【０００９】
本願の主要な発明は、
上部が開放されてそのまま販売用陳列ケースとなる本体と、外側部の４辺にそれぞれ側板を備えるとともに上部が蓋板によって閉塞された蓋体と、を組合わせて成る包装箱であって、
前記蓋体の正面板には破断線によって囲まれた開封用分離板が設けられ、
前記蓋体の左右両側板には、前記本体の左右両側板の下端側であって背面側の部分が露出するように背面側から前面側にかけて所定の長さに亘って欠如された欠如部が形成され、
前記欠如部は上縁が平坦であってしかも前端縁が前方に向かって斜めに欠如されており、前記欠如部の前記上縁が平坦な部分における該欠如部の高さ方向の寸法が前記包装箱の高さ方向の寸法の１／１０〜１／３の範囲内であって、
前記蓋体の左右両側板の前記欠如部の前記平坦な上縁と前記斜めの前端縁との交差位置から水平方向よりも斜め上方に向かって破断線が形成され、
前記蓋体の背面板にはこの蓋体を除去して開封するとき、上端側が回動中心となる切込みが底部から上方に所定の高さまで形成され、前記蓋体の左右両側板の前記欠如部の前記平坦な上縁は、前記蓋体の背面板の開封用切込みの上縁よりも低い包装箱に関するものである。
【００１０】
ここで、前記蓋体の左右両側板の前記欠如部によって露出する前記本体の左右両側板の下端側の前記露出した部分が開封動作時に前記本体を押える部位であってよい。また前記蓋体の左右両側板の前記欠如部の前記平坦な上縁と前記斜めの前端縁とのなす外角が１８０度以上であって、該外角を３等分したときにその中間の１／３の角度範囲に入るように前記破断線が前記蓋体の左右両側板に形成されていてよい。さらに、前記蓋体の左右両側板の前記欠如部の前記平坦な上縁と前記斜めの前端縁とのなす外角が１８０度以上であって、該外角を３等分したときにその中間の１／３の角度範囲に入るとともに、垂直方向よりも前方に向かって延びるように前記破断線が前記蓋体の左右両側板に形成されていてよい。
【００１１】
また、前記蓋体の左右両側板の欠如部の上縁が平坦な部分が前記蓋体の背面側板の開封用切込みの上縁よりも０．５〜４ｃｍ低くてよい。また前記本体の左右両側板は、前端側の部分が低くなっており、しかも前記低くなった前記左右両側板の前端側であって前記いたずら検出用の破断線の延長位置に上方に突出する突部が形成され、該突部の高さはこの包装箱の全高の２／３〜９／１０の範囲内であってよい。
【００１２】
いたずら検出方法に関する発明は、上部が開放されてそのまま販売用陳列ケースとなる本体上に、外側部の４辺にそれぞれ側板を備えるとともに上部が蓋板によって閉塞された蓋体を被せて成る包装箱において、
前記蓋体の正面板に破断線によって囲まれて形成された開封用分離板を破断して前記蓋体を回動させることにより前記蓋体を除去して開封するようにし、
しかも前記開封の際に前記本体の左右両側板が露出して前記本体の左右両側板を押えるように前記蓋体の左右両側板の下端側に背面側から前面側にかけて所定の長さの欠如部を形成し、
前記欠如部の平坦な上縁と斜めの前端縁との交差位置から水平方向よりも斜め上方に向けていたずら検出用の破断線を形成しておき、
前記蓋体の左右両側板の欠如部から前記蓋体の左右両側板の内の一方と前記本体の左右両側板の内の一方との間に指を挿入すると前記いたずら検出用破断線が破断していたずらしたことを知らしめるようにしたものである。
【発明の効果】
【００１３】
本願の主要な発明は、
上部が開放されてそのまま販売用陳列ケースとなる本体と、外側部の４辺にそれぞれ側板を備えるとともに上部が蓋板によって閉塞された蓋体と、を組合わせて成る包装箱であって、
前記蓋体の正面板には破断線によって囲まれた開封用分離板が設けられ、
前記蓋体の左右両側板には、前記本体の左右両側板の下端側であって背面側の部分が露出するように背面側から前面側にかけて所定の長さに亘って欠如された欠如部が形成され、
前記欠如部は上縁が平坦であってしかも前端縁が前方に向かって斜めに欠如されており、前記欠如部の前記上縁が平坦な部分における該欠如部の高さ方向の寸法が前記包装箱の高さ方向の寸法の１／１０〜１／３の範囲内であって、
前記蓋体の左右両側板の前記欠如部の前記平坦な上縁と前記斜めの前端縁との交差位置から水平方向よりも斜め上方に向かっていたずら検出用の破断線が形成されているものである。
【００１４】
従ってこのような構成によると、蓋体の左右両側板の下端側の欠如部によって露出される本体の左右の両側板の下端側であって背面側の部分を押えて蓋体を上方から背面側に向かって回動するように除去することによって、蓋体を本体から分離して開封させることができ、このときに上部が開放された本体がそのまま販売用陳列ケースとして利用できるために、内容物を移し替えることなく販売のための陳列を行なうことが可能になる。ここで上記蓋体の左右両側板の欠如部であって斜めの前端縁側の近傍から蓋体の左右両側板と本体の左右両側板との間に指を挿入すると、蓋体の左右両側板の欠如部から斜め上方に向けて形成された破断線が破断されることになり、このような破断によっていたずらされたことが認識できるようなる。
【図面の簡単な説明】
【００１５】
【図１】包装箱の本体の展開平面図であって、外表面側が上面となるように展開した状態の平面図である。
【図２】本体に被せるように組合わせる蓋体の展開平面図であって、外表面が上面となるように展開した平面図である。
【図３】同包装箱の分解斜視図である。
【図４】同包装箱の正面側から見た外観斜視図である。
【図５】同包装箱の背面側から見た外観斜視図である。
【図６】蓋体を除去して本体を開封する動作を示す外観斜視図である。
【図７】この包装箱を組立てた状態の側面図である。
【発明を実施するための形態】
【００１６】
以下本願発明を図示の実施の形態によって説明する。本実施の形態の包装箱は、図１に展開して示す本体（身）１１と、図２に展開して示す蓋体５０とを組合わせて成る包装箱であって、組合わせた状態の形態が、図４および図５に示すような状態になっている。
【００１７】
まず図１によって、本体１１の構造について説明する。図１は本体（身）１１を展開して示したものであって、ここでは段目が縦方向に延びる段ボールシートを打抜いて構成される。そして本体１１は、左側板１２、正面板１３、右側板１４、背面板１５をこれらの順に備え、折曲げ線１６を介して互いに折曲げ可能に連結されている。しかも左側の左側板１２の左端には、折曲げ線１７を介して接合板１８が連設されている。そして接合板１８には糊２２が塗付され、この糊２２によって背面板１５の端部に接合され、四角筒状に組立てられる。
【００１８】
図１に示すように、左側板１２の上部には破断線２３を介して接合片２４が連結されている。なおこの接合片２４には糊２５が塗付され、糊２５によって接合片２４が蓋体５０の左側板５１の内表面に接合される。
【００１９】
本体１１の正面板１３には、上部側に正面分離板２６が破断線２７によって区画されて連設されている。なお正面分離板２６は外側の表面に糊２８が塗付され、この糊２８によって正面分離板２６が後述する蓋体５０の正面板５２上の正面分離板６５に接合されるようになっている。
【００２０】
左右両側板１２、１４の後端側の部分は、この包装箱の高さ方向の寸法と一致するとともに、上縁にはＶ字状凹部２９が後端寄りに形成されており、このＶ字状凹部２９に連続して前端側に突部３０が形成されている。そして突部３０の前端側が前端側傾斜部３１になっている。
【００２１】
次にこの本体１１の右側板１４と背面板１５との間に位置する折曲げ線１６に沿って、縦方向に延びるスリット状開口３２が形成されている。しかもこのようなスリット状開口３２を端部に備える背面板１５には、背面分離板３３が破断線３４を介して連設されている。背面分離板３３にはその外表面に糊３５が塗付されている。
【００２２】
次にこのような本体１１の底部の構造について説明すると、左側板１２の下端側には折曲げ線３９を介して底板４０が連設されている。また右側板１４の底部には折曲げ線４１を介して底板４２が連設されている。また正面板１３と背面板１５の底部には、折曲げ線４３を介して連結フラップ４４が連結されている。連結フラップ４４はその先端側であって一方の肩部に斜めの折込線４５が形成されるとともに、折込線４５よりも先端側であって裏面に糊４６が塗付されている。糊４６は近接する底板４０、４２の端部に連結フラップ４４を接合しており、折畳み可能な底部構造を形成している。
【００２３】
次に本体１１の上部に被せられる蓋体５０の構成を図２によって説明する。図２は蓋体５０を展開して示したものであって、段目が縦方向に延びる段ボールを打抜いて構成されている。蓋体５０は左側板５１、正面板５２、右側板５３、背面板５４をその順序に備え、折曲げ線５５を介して互いに折曲げ可能に連結されている。また蓋体５０の右端には２重の折曲げ線５６を介して接合板５７が連結されている。接合板５７の内側表面には糊５８が塗付され、このような糊５８を介して反対側の端部の左側板５１に連結され、四角筒状に組立てられるようになっている。
【００２４】
蓋体５０の左右両側板５１、５３の下端側には、後端側寄りに欠如部６２が形成されている。この欠如部６２は、蓋体を開放するときに本体１１の左右両側板１２、１４の底部側であって背面側の部分が露出するようにするものである。欠如部６２はその前端側が前方に傾斜するような傾斜部６３になっている。そして欠如部６２の上端の水平であって平坦な部分と傾斜部６３との交差位置から水平方向よりも斜め上方に延びるようにいたずら検出用の破断線６４が形成されている。この破断線６４が、本発明の特徴を成すいたずら検出手段を構成している。
【００２５】
蓋体５０の正面板５２には正面分離板６５が破断線６６を介して破断可能に連設されている。そして正面分離板６５にはＵ字状切込み６７によってその上端部に開封片６８が連設されている。なお開封片６８の根元部分は折曲げ線７６になっている。
【００２６】
次にこの蓋体５０の右側板５３の前端側の部分には、破断線６９によって囲まれるように連結片７０が形成されている。なお破断線６９の内の前端側の部分は折曲げ線５５に一致している。そして上記連結片７０の側部に半円形の開口７１が形成されている。またこの蓋体５０の背面板５４の上部には、破断線７２に囲まれるように連結片７３が形成されている。そして連結片７３の側部には半円形の開口７４が形成されている。これらの連結片７０、７３は、何れも複数の包装箱を並べて連結する際に用いられるものであって、連結片７０は隣接する横隣りの包装箱の前端部に連結される。また背面側の連結片７３は後側に位置する包装箱の上面に連結される。
【００２７】
次に上記蓋体５０の背面板５４の下端側の部分には切込み７５が形成されている。この切込み７５は、左右両側板５１、５３の欠如部６２と連続する欠如部を形成するためのものである。とくに切込み７５は、この包装箱を開封するために蓋体５０を上方に回動する際に、その回動支点とするためのものである（図６参照）。
【００２８】
蓋体５０の左右両側板５１、５３の上部には、折曲げ線７９を介して蓋板８０が折曲げ可能に連設されている。また正面板５２の上端部および背面板５４の上端部にはそれぞれ折曲げ線８１を介して上部フラップ８２が連設されている。これらの上部フラップ８２と蓋板８０とを組合わせることによって、この蓋体５０の上部開口が閉塞される（図４、図５参照）。
【００２９】
次に以上の構成に係る本体１１と蓋体５０とから成る包装箱の組立てについて説明する。まず本体１１は、折曲げ線１６によって左側板１２、正面板１３、右側板１４、背面板１５を順次折曲げ線１６のところで折曲げるとともに、折曲げ線１７によって接合板１８を折曲げて、この接合板１８の表面に塗付された糊２２を背面板１５の端部に糊付けする。そしてこの本体１１の底部開口を右側板１４側の底板４２と左側板１２の底板４０とを重合わせて閉塞する。このときに両側の連結フラップ４４の折込線４５よりも先端側の部分を糊４６によって底板４０、４２の側部に糊付けして連結する。これによって本体１１が組立てられるとともに、底部開口が底板４０、４２によって閉塞される。組立てられた状態が図３に示される。図３に示すように、本体１１は上部開口が開放された状態にあり、その中に内容物８５が整列した状態で収納される。
【００３０】
次に蓋体５０は、図２に示す段ボールの左側板５１、正面板５２、右側板５３、背面板５４を折曲げ線５５によって順次折曲げるとともに、２重の折曲げ線５６を介して連設されている接合板５７を糊５８によって左側板５１の端部に糊付けして接合する。これによって四角筒状に組立てられる。そしてこの後に、上部フラップ８２を折曲げ線８１のところで内側に折込み、さらに折曲げ線７９によって蓋板８０を折込むようにし、上部開口を閉塞する（図３、図４、図５参照）。
【００３１】
ここで本体１１の正面分離板２６が糊２８によって蓋５０の正面板５２の正面分離板６５に糊付け接合される。また本体１１の背面板１５の背面分離板３３が糊３５によって蓋体５０の背面板５４に糊付けされる。また本体１１の接合片２４が糊２５によって蓋体５０の左側板５１の内表面に糊付けされる。
【００３２】
実際には、蓋体５０を構成する段ボールの上に本体１１を構成する段ボールを重合わせ、両者を一緒に折曲げることによって組立てられるようになっている。
【００３３】
次にこのような包装箱の開封動作を説明する。内容物８５を図３に示すように、本体１１の上部開口を通してその内部に整列された状態で収納しておく。そしてこのような本体１１の上部に蓋体５０を被せ、本体１１の上部開口を閉塞する。図４および図５は、このように蓋体５０を上部に被せた包装箱の外観を示している。
【００３４】
開封を行なう際には、図６に示すように、蓋体５０の正面板５２上に形成された正面分離板６５の上端側のＵ字状切込み６７で囲まれた開封片６８の部分を指でこの包装箱内に押込む。するとＵ字状切込み６７が破断されて開封片６８が折曲げ線７６の位置を中心に内側に折曲げられる。このような状態において、上記Ｕ字状切込み６７によって破断線６６を介して正面分離板６５を図６に示すように除去する。すると破断線６６およびＵ字状切込み６７によって蓋体５０の正面板５２に開封用の開口が形成される。そしてこの開口のＵ字状切込み６７の部分に指を引掛けて蓋体５０の正面板５２を上方に持上げる。すると蓋体５０は、蓋体５０の背面側の切込み７５の部分を回動中心として上方から背面側に向かって回動される。
【００３５】
なおこのような開封動作の際に、蓋体５０の正面分離板６５の内側に接合されている本体１１の正面分離板２６は破断線２７のところで破断されて蓋体５０側に接合された状態で正面分離板６５と一緒に分離される。また蓋体５０の背面板５４に糊付けされている本体１１の背面板１５の背面分離板３３は破断線３４のところで破断され、蓋体５０側に接合された状態で蓋体５０とともに分離除去される。
【００３６】
このようにして開封されると、本体１１の内部には、内容物８５が整列された状態で露出されることになる。従ってこのような内容物８５が露出された状態でそのまま販売のための陳列ケースとして利用することが可能になり、内容物８５を陳列のために入替えて並べる必要がなくなる。
【００３７】
上述のような開封動作の際に、とくに蓋体５０の左右両側板５１、５３の下端側であって背面側の欠如部６２によって露出する本体１１の左右両側板１２、１４の下端側の部分を手で押えることになる。すなわち、この包装箱を手の上に保持し、本体１１の右側板１４に親指を当てがい、左側板１２に人差し指と中指と薬指とを当てがう。この状態で図６に示すように、蓋体５０を上述の如く上方から背面側に向かって回動させることによって、確実に開封動作が達成される。従って蓋体５０の左右両側板５１、５３の欠如部６２は、開封動作の際に必要な構造となる。
【００３８】
このように本体１１の左右両側板１２、１４の下端側であって背面側の部分を露出させるために蓋体５０の左右両側板５１、５３の欠如部６２は必須の構成となるものの、このような欠如部６２を設けると、この欠如部６２と傾斜部６３との交差位置の辺りに指を押込み、蓋体５０の左右両側板５１、５３と本体１１の左右両側板１２、１４との間に指を挿入していたずらしたり、内部の内容物８５を抜取ったりする可能性がある。そこでここでは、上述のようないたずらを検出するために、蓋体５０の欠如部６２と傾斜部６３との交差位置から水平方向よりも斜め上方に向かって、いたずら検出用の破断線６４を形成している。このようないたずら検出用の破断線６４によって、本体１１の左右両側板１２、１４と蓋体５０の左右両側板５１、５３との間に指を挿入したときに、いたずら検出用の破断線６４が破断してそのことが確実に知らしめられるようになる。すなわちいたずらしたことの痕跡が確実に残るために、いたずらし難くなるとともに、いたずらされた場合にはその商品を廃棄することが可能になる。
【００３９】
このようないたずら検出用の破断線６４は、とくに図７に示すように、蓋体５０の左右両側板５１、５３の平坦な欠如部６２と傾斜部６３がなす外角θが１８０度以上であって、該外角θを３等分したときにその中間の１／３の角度範囲であることが好ましい。しかも、上記いたずら検出用の破断線６４は、蓋体５０の左右両側板５１、５３の平坦な欠如部６２と傾斜部６３がなす外角θが１８０度以上であって、該外角θを３等分したときにその中間の１／３の角度範囲に入るとともに、垂直方向よりも前方に向かって延びるように形成されることが好ましい。上述のようないたずら検出用の破断線６４を蓋体５０の左右両側板５１、５３に形成させないと、いたずら検出が確実に行なわれず、ｔａｎｐｅｒ  ｅｖｉｄｅｎｃｅの保証機能が低下する。
【００４０】
また蓋体５０の左右両側板５１、５３に形成される欠如部６２の高さ方向の寸法Ｙは、この包装箱の全高をＺとしたときにＹがＺの１／１０〜１／３の範囲内とする。すなわちこの包装箱の高さ方向において全高Ｚの１／１０〜１／３の範囲内において、本体１１の左右両側板１２、１４の下端側であって背面側の部分が露出するようにしておくと、開封時に手で押え易くなる。またとくに欠如部６２の高さを小さくすると、よりいたずらし難くなる。上記１／１０〜１／３の下限より小さいと、開封時に押え難くなる。また上限値より大きいと、いたずらされ易くなる。
【００４１】
蓋体５０の背面板５４の下端側には切込み７５が形成されていることが好ましい。この切込み７５の上縁が開封時における蓋体５０の回動中心を成す。この回動中心の位置が低いと、開封時に蓋体５０が背面側に向って上手く回動し難くなるために、所定の高さの値を確保する必要がある。そしてこのような切込み７５と欠如部６２の高さ方向の寸法差は、０．５〜４ｃｍの範囲とすることが好ましい。この範囲の下限値より小さいと、蓋体５０の開封のための回動に支障を生ずる。またこの範囲の上限値より大きいと、欠如部６２の面積が大きくなりすぎていたずらされ易くなる。
【００４２】
次にこの蓋体５０の内側の本体１１の左右両側板１２、１４の上端側に形成される突部３０の上端と箱の上面との間の寸法Ａは、この箱の全高Ｚに対して、その１／１０〜１／３内の範囲とすることが好ましい。左右両側板１２、１４の上端の突部３０の上縁と箱の上端との間の寸法をより小さくすることによって、この突部３０を越えて本体１１の上部開口に指を挿入し難くなり、いたずらし難くなり、ｔａｎｐｅｒ  ｅｖｉｄｅｎｃｅの保証機能が高まる。
【００４３】
以上本願発明を図示の実施の形態によって説明したが、本願発明は上記実施の形態によって限定されることなく、本願発明の技術的思想の範囲内において各種の変更が可能である。例えば上記実施の形態における包装箱の本体１１や蓋体５０の縦横比、その他各種の寸法は、充填する内容物の大きさや数に応じて各種の寸法を設定することができる。また本願発明の包装箱は、各種の物品を収納し、そのまま販売用陳列ケースとして利用することが可能な包装箱に広く適用可能である。
【産業上の利用可能性】
【００４４】
本願発明は、上部が開放されてそのまま販売用陳列ケースとして利用できるとともに、物流に供するときには外側部に側板を備える蓋体を被せるようにした包装箱に広く利用可能である。
【符号の説明】
【００４５】
１１  本体（身）
１２  左側板
１３  正面板
１４  右側板
１５  背面板
１６  折曲げ線
１７  折曲げ線
１８  接合板
２２  糊
２３  破断線
２４  接合片
２５  糊
２６  正面分離板
２７  破断線
２８  糊
２９  Ｖ字状凹部
３０  突部
３１  前端側傾斜部
３２  スリット状開口
３３  背面分離板
３４  破断線
３５  糊
３９  折曲げ線
４０  底板
４１  折曲げ線
４２  底板
４３  折曲げ線
４４  連結フラップ
４５  折込線
４６  糊
５０  蓋体
５１  左側板
５２  正面板
５３  右側板
５４  背面板
５５  折曲げ線
５６  折曲げ線（２重）
５７  接合板
５８  糊
６２  欠如部
６３  傾斜部
６４  いたずら検出用の破断線
６５  正面分離板
６６  破断線
６７  Ｕ字状切込み
６８  開封片
６９  破断線
７０  連結片
７１  半円形の開口
７２  破断線
７３  連結片
７４  半円形の開口
７５  切込み
７６  折曲げ線
７９  折曲げ線
８０  蓋板
８１  折曲げ線
８２  上部フラップ
８５  内容物
【図１】
0005990396.tif 000002
【図２】
0005990396.tif 000003
【図３】
0005990396.tif 000004
【図４】
0005990396.tif 000005
【図５】
0005990396.tif 000006
【図６】
0005990396.tif 000007
【図７】
0005990396.tif 000008